(57)【要約】【課題】型枠体に固定の枠用金具を回転して着脱するための枠用金物着脱工具の構造である。 【解決手段】型枠体５にナットで１３で取り付けの枠用金具１０であり、枠用金具１０に付設の補強材１７を介して前記ナット１３を緩める枠用金物着脱工具であり、前記補強材１７を挿入可能な挿入口２４は、補強材１７を挿入口２４から挿入すると取り外しが困難となる前記補強材１７の大きさより僅かに大きく形成してある。【選択図】図１
2015093333.tif 000002
【特許請求の範囲】
【請求項１】
空間を形成のコンクリート型枠を複数枚の型枠体で囲んで構成され、
前記型枠体に連結材を介してナットで締付て取り付けられるＵ字状に曲折され、空間を形成の枠用金具であり、
前記枠用金具の前方において補強材が付設してあり、
その補強材を介して前記ナットを緩める枠用金物着脱工具であり、
前記補強材を挿入可能な挿入口を備え、
前記挿入口は、補強材を挿入口から挿入すると取り外しが困難となる前記補強材の大きさより僅かに大きく形成してあることを特徴とする枠用金物着脱工具。
【請求項２】
請求項１の枠用金物着脱工具であり、
補強材が丸棒であることを特徴とする枠用金物着脱工具。
【請求項３】
請求項１の枠用金物着脱工具であり、
補強材が板状であることを特徴とする枠用金物着脱工具
【請求項４】
請求項３の枠用金物着脱工具であり、
挿入口を隅部に形成してあることを特徴とする枠用金物着脱工具
【発明の詳細な説明】
【技術分野】
【０００１】
本願発明は、型枠体に固定の枠用金具を回転して着脱するための枠用金物着脱工具の構造に関する。
【背景技術】
【０００２】
特許文献１には、コンクリート型枠は型枠体の外側に接して配置の複数の縦梁の外側に接して配置される横梁と、この横梁を枠用金具を用いて型枠体に固定することで構成される。即ち、枠用金具は、型枠体を貫通し、型枠体の一方の面に係止する係止材を備え、他面に形成のネジを介してナットで型枠体に締付られる。
その後に、型枠体の外側に接して配置される複数の縦梁の外側に、横梁を接して配置し、この横梁を取り付けた枠用金具の略Ｕ字状の空間に通し、さらに、Ｕ字の両辺に形成された楔孔に楔を打ち込み、横梁を縦梁へ押圧して、固定する。 
【０００３】
このような枠用金具の着脱は、枠用金物着脱工具を回転させて行う技術が特許文献１に開示されている。
この枠用金物着脱工具は、枠用金具の略Ｕ字状の開口側から挿入し、このＵ字の両辺を連結して補強する連結ピンまで届く長さを有する長い軸体の先端に、連結ピンに挿入するコ字状の挿入部が設けてある一方、前記軸体の他端部には、ドリル工具にキャックするチャッキング部が形成してある。
【先行技術文献】
【特許文献】
【０００４】
【特許文献１】特開２００６−３４６８２９号公報
【発明の概要】
【発明が解決しようとする課題】
【０００５】
前記特許文献１に開示の枠用金物着脱工具を用いて、枠用金具を型枠体から取り外す作業において、連結ピンに挿入するコ字状の挿入部を連結ピンに挿入した後に、枠用金具を回転して、ナットを緩めると、枠用金具は型枠体から離脱し、このとき、枠用金物着脱工具を下向きにすると、枠用金具はコ字状の挿入部から脱落し、危険となる。
そこで、本願発明は、係る不都合を解消する枠用金物着脱工具を提供するものである。
【課題を解決するための手段】
【０００６】
請求項１の発明は、空枠用金物着脱工具であり、空間を形成のコンクリート型枠を複数枚の型枠体で囲んで構成され、前記型枠体に連結材を介してナットで締付て取り付けられるＵ字状に曲折され、空間を形成の枠用金具であり、前記枠用金具の前方において補強材が付設してあり、その補強材を介して前記ナットを緩める。
そして、枠用金物着脱工具は前記補強材を挿入可能な挿入口を備え、前記挿入口は、補強材を挿入口から挿入すると取り外しが困難となる前記補強材の大きさより僅かに大きく形成してある。
又、請求項２の枠用金物着脱工具は、補強材が丸棒に対応する。
又、請求項３の枠用金物着脱工具は、補強材が板状に対応する。
又、請求項４の枠用金物着脱工具は、挿入口が隅部に形成してある、
【発明の効果】
【０００７】
枠用金物着脱工具でナットを緩めて、枠用金具を型枠体から取り外しても、枠用金具は枠用金物着脱工具から離脱しないので安全である。
【図面の簡単な説明】
【０００８】
【図１】（Ａ）はコンクリート型枠１の断面図、（Ｂ）は枠用金物着脱工具の斜視図である。
【図２】（Ａ）は補強材が板状の枠用金具と枠用金物着脱工具であり、（Ｂ）は補強材に枠用金物着脱工具を挿入した図である。
【図３】（Ａ）は丸棒の補強材と枠用金物着脱工具、（Ｂ）は板状の補強材と枠用金物着脱工具である。
【発明を実施するための形態】
【０００９】
本願発明を図を参照して説明する。図１（Ａ）はコンクリート型枠１の断面図、（Ｂ）は枠用金物着脱工具の斜視図である。
コンクリート型枠１に形成の空間７は、木製又はコンクリート製の角状である複数枚の型枠体５で囲んで構成され、コンクリート打設を行う。又、型枠体５には枠用金具１０が固定され、この枠用金具１０には複数の縦梁（図示略）と横梁（図示略）が装着される。 
【００１０】
枠用金具１０は、従来と同じ構成であり、一対の型枠体５を貫通する連結材８に対して、内側の型枠体側に係止材１２を備え、外側にネジが形成され、そのネジにナット１３を介して締付て取り付けられる。
枠用金具１０は、板材をＵ字状に曲折され、相対する板材１０ａ、１０ｂで空間１５が形成され、前方において、前記一対の板材１０ａ、１０ｂの間に補強材（丸棒）１７が付設してある。
尚、前記空間１５には横梁（図示略）が挿通され、一対の板材１０ａ、１０ｂには楔を打ち込む楔孔（図示略）が形成してある。 
【００１１】
次に、金属製の枠用金物着脱工具２０について説明すると、この枠用金物着脱工具２０は筒状金属体の相対する側面に。前記補強体１７の口径より広いスリット２２が形成してあり、側面視、コ字状である。
又、前記筒体内の前方の挿入口２４には、開口幅を規制する湾曲状の規制体２６がボルト２７ａとナット２７ｂで取り付けてあり、この規制体２６による開口幅は、前記補強材（丸棒）１７の口径より僅かに大きく形成されている。従って、前記着脱工具２０の挿入口２６から、補強材１７は挿入しやすいが、一旦、規制体２６より後部に位置するスリット２２内の空間に挿入されると、取り外しが困難となる。
また、この着脱工具２０には、枠用金具１０の略Ｕ字状の開口１１側から挿入し、このＵ字の側板１０ａ、１０ｂを連結して補強する補強材１７まで届く長さを有する長い軸体２８が付設してあり、ドリル工具３０にキャックするチャッキング部２９が形成してある。
【００１２】
次に、ドリル工具３０に締結の枠用金物着脱工具２０を使用して、枠用金具１０を型枠体５から取り外す場合について説明する。
先ず、枠用金物着脱工具２０の挿入口２４を補強材１７に向けて挿入すると、補強材１７は挿入口２４、規制体２６を挿通して、規制体２６より後部に位置するスリット２２内に挿入される。そして、ドリル工具３０を始動して、枠用金物着脱工具２０を回転させると、補強材１７を介して枠用金具１０が回転して、ナット１３が緩んで、枠用金具１０は型枠体５から外れるが、規制体２６による開口幅が狭いので、枠用金具１０は枠用金物着脱工具２０から離脱しない。
そのため、枠用金具１０だけが落下するのを防止できる。
【００１３】
図２（Ａ）は、枠用金具１０に取り付けの補強材１７Ａが板状であり、この補強材１７Ａの形状に合わせての枠用金物着脱工具２０Ａである。又、図２（Ｂ）は、枠用金物着脱工具２０Ａを補強材１７Ａに挿入した図である。
この金属製の枠用金物着脱工具２０Ａは、基台にＬ字状の上ガイド体３０ａと下ガイド体３０ｂ及び前記下ガイド体３０ｂの端部から垂設の前ガイド体３０ｃで、コ字状に形成され、前記上ガイド体３０ａの端部と前ガイド体３０ｃとの隅部に挿入口３１が形成してある。
この隅部に挿入口３１を形成してあるのは、板状の補強材１７Ａに、前記枠用金物着脱工具２０Ａに形成の挿入口３１から挿入しやすくするためである。
そこで、枠用金具１０を型枠体５から取り外す場合には、枠用金物着脱工具２０Ａの挿入口３１を、傾斜しながら補強材１７Ａに向けて挿入し、ドリル工具３０を始動して、枠用金物着脱工具２０Ａを回転させると、板状の補強材１７Ａを介して枠用金具１０が回転して、ナット１３が緩んで、枠用金具１０は型枠体５から外れるが、枠用金物着脱工具２０Ａの隅部に形成の挿入口３１からの離脱は困難である。
【００１４】
図３（Ａ）は、丸棒の補強材１７に対応する枠用金物着脱工具２０Ｃである。この枠用金物着脱工具２０Ｃは、Ｌ字状の上ガイド体４０ａと下ガイド体４０ｂ及び、前記上ガイド体４０ａの端部から下方向に垂設の上前ガイド体４０ｄと、前記下ガイド体４０ｂの端部から上方向に垂設の下前ガイド体４０ｃで、コ字状に形成してあり、前記上前ガイド体４０ｄと下ガイド体４０ｂの間に、丸棒の補強材１７Ａより僅かに広い挿入口４１が形成してあると共に、補強材１７を内装可能な空間４２が形成してある。
この枠用金物着脱工具２０Ｃの挿入口４１から補強材１７を挿入して回転させると、前記したように、枠用金具１０を型枠体５から取り外すことができるし、挿入口４１の大きさから、枠用金具１０は枠用金物着脱工具２０Ｃから脱落することはない。
【００１５】
次に、図３（Ｂ）は板状の補強材１７Ａに対応する着脱工具２０Ｄであり、前記枠用金物着脱工具２０Ｃとは、上前ガイド体４０ｄと下ガイド体４０ｂで形成の挿入口４１の幅が板状の補強材１７Ａに対応可能に形成してある点である。
この着脱工具２０Ｄは、挿入口４１により、一旦、補強材１７Ａを空間に挿入されると、挿入口４１の大きさから、枠用金具１０は枠用金物着脱工具２０Ｄから脱落することはない。
【００１６】
以上のように、本願の枠用金物着脱工具は、補強材を、一旦、空間に挿入することによって、枠用金具１０が着脱工具から離脱することが困難となる挿入口を形成すればよく、この概念を備える着脱工具は本願発明に含まれる。
【符号の説明】
【００１７】
１  コンクリート型枠
５  型枠体
８  連結材
１０  枠用金具
１３  ナット
１７  補強材
２０  枠用金物着脱工具
２２  スリット
２４  挿入口
２６  規制体
【図１】
2015093333.tif 000003
【図２】
2015093333.tif 000004
【図３】
2015093333.tif 000005